(57)【特許請求の範囲】
【請求項１】
天板を有する燃焼室内で燃焼を行う燃焼バーナと、前記天板に支持部材を介して吊設され前記燃焼バーナにより熱せられる赤熱筒とを有する輻射式暖房機において、
前記赤熱筒は前記支持部材に取り付けられる筒側固定部を有し、前記支持部材は前記筒側固定部と対面する支持側固定部を有し、前記筒側固定部と前記支持側固定部とが対面した状態で締結部材により着脱自在に締結されるものであって、
前記筒側固定部と前記支持側固定部の一方又は双方に、他方側に向けて突出し接触面積を減少させる突起を備えていることを特徴とする輻射式暖房機。
【請求項２】
前記支持部材は、前記赤熱筒に締結される第１支持部材と、前記天板に固定され前記第１支持部材に締結される第２支持部材とからなり、
前記第１支持部材は前記第２支持部材に取り付けられる第１固定部を有し、前記第２支持部材は前記第１固定部と対面する第２固定部を有し、前記第１固定部と前記第２固定部とが対面した状態で締結部材により着脱自在に締結されるものであって、
前記第１固定部と前記第２固定部の一方又は双方に、他方側に向けて突出し接触面積を減少させる第２の突起を備えていることを特徴とする請求項１に記載の輻射式暖房機。
【発明の詳細な説明】
【技術分野】
【０００１】
本発明は、赤熱筒を備えた輻射式暖房機に関する。
【背景技術】
【０００２】
従来の輻射式暖房機としては、例えば、赤熱筒による輻射熱を利用して暖房を行う石油ストーブ等が広く知られている。このような石油ストーブは、天板を有する燃焼室内で燃焼を行う燃焼バーナと、前記天板に支持部材を介して吊設された赤熱筒とを有しており、バーナの燃焼熱により赤熱筒を赤熱させ、輻射熱による暖房を行うものである。
【０００３】
このような従来の輻射式暖房機においては、バーナの点火時、消火時、或いは火力を変化させた時に、異音が発生する場合があった。この異音の主な原因は、燃焼室等のバーナの熱が及ぶ箇所に設けられている部材のうち、複数の部材が接合されている箇所において、各部材の膨張度合の相違によって接合箇所で互いにセリ（ずれ）が発生することによるものと考えられる。
【０００４】
このような不都合を解消するために、例えば、下記特許文献１には、複数の筒状部材を接合することにより形成された排気ガス流路において、各筒状部材の端部に外周方向に突出する鍔部を形成し、一方の鍔部を軸方向に折り曲げ、他方の部材でその折り曲げ箇所を覆うようにかしめることにより両部材を接合した構成が開示されている。このような構成とすることにより、前記折り曲げ箇所で各部材のカシメ部分のセリを防止し、異音の発生を抑制することができるとされている。
【０００５】
しかしながら、このような構成では、カシメ部分の形状が複雑となり、カシメ加工が困難になるという不都合が生じる。また、カシメ部分に折り曲げ箇所が設けられ、一方の部材でその折り曲げ箇所を覆う構成であるため、カシメ加工を行う部分の面積が増えるので、材料のコストが上昇すると共に、重量も増加してしまうという不都合が生じる。また、上記構成では、一度カシメ加工を行うと接合された部材同士を分解することができなくなるので、分解が必要な部材同士の結合には用いることができない。
【特許文献１】特開平９−１７８２６９号公報
【発明の開示】
【発明が解決しようとする課題】
【０００６】
本発明は、輻射式暖房機の改良を目的とし、さらに詳しくは前記不都合を解消するために、材料コストの上昇や重量の増加を伴うことなく異音の発生を抑制する輻射式暖房機を提供することを目的とする。
【課題を解決するための手段】
【０００７】
前記目的を達成するために、本発明の輻射式暖房機は、天板を有する燃焼室内で燃焼を行う燃焼バーナと、前記天板に支持部材を介して吊設され前記燃焼バーナにより熱せられる赤熱筒とを有する輻射式暖房機において、前記赤熱筒は前記支持部材に取り付けられる筒側固定部を有し、前記支持部材は前記筒側固定部と対面する支持側固定部を有し、前記筒側固定部と前記支持側固定部とが対面した状態で締結部材により着脱自在に締結されるものであって、前記筒側固定部と前記支持側固定部の一方又は双方に、他方側に向けて突出し接触面積を減少させる突起を備えていることを特徴とする。
【０００８】
本発明の輻射式暖房機は、前記赤熱筒と前記支持部材とが締結されている箇所、即ち、前記筒側固定部と前記支持側固定部との間の接触面積を減少させる突起が設けられているので、両者の間でセリが発生した場合であっても、異音が発生しないか、発生しても小さいものとなる。特に、前記赤熱筒はバーナの燃焼熱により温度が上昇しやすく、直接バーナの火炎が及ばない前記支持部材との間では温度差が発生しやすい。従って、両者の間では膨張度合に差が生じやすいが、前記突起によって異音の発生が抑制される。また、当該構成は、接合される両部材の当接面に突起を設けるものであるため、両部材がビス等の締結部材によって着脱自在に接合される構成に適用することが容易であると共に、従来の輻射式暖房機への適用も容易となる。
【０００９】
また、本発明の輻射式暖房機においては、前記支持部材は、前記赤熱筒に締結される第１支持部材と、前記天板に固定され前記第１支持部材に締結される第２支持部材とからなり、前記第１支持部材は前記第２支持部材に取り付けられる第１固定部を有し、前記第２支持部材は前記第１固定部と対面する第２固定部を有し、前記第１固定部と前記第２固定部とが対面した状態で締結部材により着脱自在に締結されるものであって、前記第１固定部と前記第２固定部の一方又は双方に、他方側に向けて突出し接触面積を減少させる第２の突起を備えていることが好ましい。
【００１０】
輻射式暖房機においては、製造上の理由等により前記支持部材が前記赤熱筒側に取り付けられる第１支持部材と前記天板側に取り付けられる第２支持部材とに分けて構成する場合がある。このような構成では、組立時に前記第１支持部材と第２支持部材とが連結されるが、その連結部でセリが発生する場合がある。そこで、本発明においては、前記第１支持部材と第２支持部材とが連結される固定面に前記第２の突起を設けることにより、このような連結箇所における異音を抑制している。
【発明を実施するための最良の形態】
【００１１】
次に、本発明の輻射式暖房機の実施形態の一例であるＦＦ式温風暖房機について、図１乃至図５を参照して説明する。図１は輻射式暖房機の一部を切り欠いた状態を示す説明図、図２は赤熱筒と支持部材と燃焼筒の天板との組立状態を示す説明的断面図、図３は赤熱筒が燃焼筒の天板に取り付けられている状態を示す説明的断面図、図４は支持部材と天板との接合状態を示す説明的断面図、図５は天板に設けられる第２支持部材を示す斜視図である。
【００１２】
本実施形態のＦＦ式温風暖房機１は、図１に示すように、燃焼筒（燃焼室）２内に燃焼バーナ３と赤熱筒４とを備えている。燃焼筒２は天板５を有しており、赤熱筒４は天板５に支持部材６を介して吊り下げられて固定されている。本実施形態のＦＦ式温風暖房機１は、この天板５と支持部材６と赤熱筒４の構成に特徴を有しており、他の各構成については従来のＦＦ式温風暖房機と同様の構成を備えている。
【００１３】
次に、図１乃至４を参照して、本実施形態のＦＦ式温風暖房機１の特徴である赤熱筒４と支持部材６と天板５との取付構造について説明する。赤熱筒４は、図２に示すように、円筒状の外筒４１及び内筒４２と、これら外筒４１及び内筒４２を上端部近傍で連結する赤熱筒固定板４３と、内筒４２の上方を塞ぐ蓋板４４と、内筒４２の下方に取り付けられた底板４５とを備えている。
【００１４】
赤熱筒固定板４３には、外筒４１の外周方向に突出するフランジ部（筒側固定部）４３ａが設けられている。また、フランジ部４３ａには、支持部材６にビス（締結部材）７で固定するための貫通孔４３ｂが円周方向に６箇所設けられている。また、赤熱筒固定板４３は、フランジ部４３ａの内周縁から下方に延出される大径部４３ｃと、大径部４３ｃからさらに内周方向に延出される水平部４３ｄと、水平部４３ｄの内周縁から下方に延出される小径部４３ｅとを有している。そして、外筒４１は大径部４３ｃにスポット溶接で固定され、内筒４２は小径部４３ｅにスポット溶接で固定されている。また、蓋板４４は水平部４３ｄにスポット溶接されて固定され、小径部４３ｅの上面を覆っている。また、底板４５は、その中央部に燃焼ガスを通過させる燃焼ガス通路４５ａが設けられており、内筒４２の内周面にスポット溶接されて固定されている。
【００１５】
支持部材６は、図２に示すように、本実施形態では赤熱筒４に取り付けられる第１支持部材６１と、天板５に取り付けられる第２支持部材６２（図５参照）とからなる。第１支持部材６１は、板状の部材が正面視で略角Ｕ字状に折り曲げ加工されたものであり、赤熱筒４のフランジ部４３ａと対面する支持側固定部６１ａが２箇所に設けられている。この支持側固定部６１ａには、その表裏を貫通する貫通孔６１ｂが設けられており、貫通孔６１ｂの近傍にはフランジ部４３ａ側に向けて突出する突起６１ｃが設けられている。また、第１支持部材６１の天板５側の端部は、内方に直角に折り曲げられた係止片６１ｄとなっている（図４参照）。また、第１支持部材６１の天板５側の端部近傍は、後述する第２支持部材６２の第２固定部６２ｃに対面する第１固定部６１ｅとなっている。この第１固定部６１ｅには、ビス８が挿通される貫通孔６１ｆが設けられている。さらに、貫通孔６１ｆの近傍には第２固定部６２ｃに向けて突出する突起（第２の突起）６１ｇが設けられている。
【００１６】
第２支持部材６２は、図５に示すように、天板５にスポット溶接で固定される一対の固定部６２ａと、この一対の固定部６２ａの中間位置で赤熱筒４側（下方）に突出し第１支持部材６１の係止片６１ｄを係止する係止部６２ｂと、係止部６２ｂからさらに赤熱筒４側に延出し第１支持部材６１の第１固定部６１ｅに対面する第２固定部６２ｃとを備えている。この第２支持部材６２の係止部６２ｂの中央部分には、天板５側に突出する突起６２ｄが設けられている。本実施形態においては、この突起６２ｄの先端部から天板５までの間隔Ｄ（図４参照）が、第１支持部材６１の係止片６１ｄの厚さよりも若干狭くなるように形成されている。また、第２固定部６２ｃにはビス８が挿通される貫通孔６２ｅが設けられている。なお、一対の固定部６２ａに設けられている貫通孔６２ｆは、後述する天板５に設けられた突起５１（図１参照）と共に、天板５に対する第２支持部材６２の固定位置を定めるための孔である。
【００１７】
天板５は、図１に示すように燃焼筒２の天井部を塞ぐ上蓋であり、燃焼筒２内のメンテナンスを行う際に赤熱筒４及び支持部材６を燃焼筒２の外部に取り出すことができるように燃焼筒２に着脱自在に取り付けられている。また、天板５には、第２支持部材６２の取付の際の位置決めを行う突起５１が設けられており、当該突起により位置決めされた第２支持部材６２がスポット溶接により固定されている。
【００１８】
本実施形態においては、天板５と支持部材６と赤熱筒４とは以下のように組み付けられている。まず、赤熱筒４と支持部材６とは、図３に示すように、赤熱筒固定板４３のフランジ部４３ａと第１支持部材６１の支持側固定部６１ａとが対面した状態でビス７とナット７’によって互いに締結されている。このフランジ部４３ａと支持側固定部６１ａとが対面する箇所には、支持側固定部６１ａから突出する突起６１ｃが設けられているため、両者の接触面積は非常に小さいものとなっている。
【００１９】
次に、支持部材６と天板５とは、図４に示すように、第２支持部材６２の固定部６２ａが天板５に固定されており、係止部６２ｂの突起６２ｄと天板５との間に設けられた間隔Ｄに第１支持部材６１の係止片６１ｄが圧入されて固定されている。また、第１支持部材６１の第１固定部６１ｅと第２支持部材６２の第２固定部６２ｃとが対面した状態で、両者がビス８とナット８’によって固定されている。この第１固定部６１ｅと第２固定部６２ｃとが対面する箇所には、第１固定部６１ｅから突出する突起６１ｇが設けられているため、両者の接触面積は非常に小さいものとなっている。
【００２０】
次に、本実施形態のＦＦ式温風暖房機１の運転時における各部材の状態について説明する。ＦＦ式温風暖房機１の運転が開始され、燃焼バーナ３が点火されて赤熱筒４の温度が上昇し始めたときは、赤熱筒４のフランジ部４３ａと第１支持部材６１の支持側固定部６１ａとの間に温度差が生じ、膨張度合の差によって両者の間にセリが発生することがある。しかしながら、赤熱筒４のフランジ部４３ａと第１支持部材６１の支持側固定部６１ａとは、フランジ部４３ａと支持側固定部６１ａとの間に介在する突起６１ｃによって接触しているため、両者の間にセリが発生した場合であっても、異音は生じないか、生じても非常に小さいものとなる。
【００２１】
また、赤熱筒４が加熱され続けると、赤熱筒４と接触している第１支持部材６１の温度も上昇し、第１支持部材６１と第２支持部材６２との間にも温度差が生じる場合がある。しかしながら、第１支持部材６１の第１固定部６１ｅと第２支持部材６２の第２固定部６２ｃとが対面する箇所にも突起６１ｇが設けられているため、第１固定部６１ｅと第２固定部６２ｃとの間にセリが発生した場合であっても、異音は生じないか、生じても非常に小さいものとなる。また、第１支持部材６１の係止片６１ｄと第２支持部材の係止部６２ｂとの圧入箇所においても突起６２ｄが設けられているため、当該圧入箇所でセリが発生した場合であっても異音が抑制される。
【００２２】
なお、上記実施形態においては、輻射式暖房機についてＦＦ式温風暖房機１を例にして説明したが、赤熱筒４を有する輻射式暖房機であれば、通常の石油ストーブ等の他の暖房機に適用してもよい。また、上記実施形態においては、支持部材６と赤熱筒４との間に設けられている突起６１ｃは支持部材６側に設けられているが、これに限らず、赤熱筒４側に設けられていてもよく、双方に設けられていてもよい。また、同様に、第１支持部材６１と第２支持部材６２との間に設けられている突起６１ｇは第１支持部材６１側に設けられているが、これに限らず、第２支持部材６２側に設けられていてもよく、双方に設けられていてもよい。また、突起６１ｃ及び第２の突起６１ｇは、１箇所に限らず複数設けられていてもよい。
【００２３】
また、突起６１ｃ，６１ｇは接触面積が小さいため、ビス７，８の横方向（ビス７と突起６１ｃとを結ぶ線と直角方向、及びビス８と突起６１ｇとを結ぶ線と直角方向）に対して多少不安定になる。従って、ビス７，８の横方向に突起６１ｃ，６１ｇを線状に延設したり、同方向に突起６１ｃ，６１ｇを複数設けるようにしてもよい。このような構成とすることにより、ビス７，８によって安定して赤熱筒４や支持部材６を固定することができる。
【００２４】
また、赤熱筒固定板４３のフランジ部４３ａは、赤熱筒４の外周全体に円盤状に突出するものとなっているが、これに限らず、赤熱筒４の外周の一部のみが突出するものであってもよい。
【図面の簡単な説明】
【００２５】
【図１】輻射式暖房機の一部を切り欠いた状態を示す説明図。
【図２】赤熱筒と支持部材と燃焼筒の天板との組立状態を示す説明的断面図。
【図３】赤熱筒が燃焼筒の天板に取り付けられている状態を示す説明的断面図。
【図４】支持部材と天板との接合状態を示す説明的断面図。
【図５】天板に設けられる第２支持部材を示す斜視図。
【符号の説明】
【００２６】
１…ＦＦ式温風暖房機（輻射式暖房機）、２…燃焼筒（燃焼室）、３…燃焼バーナ、４…赤熱筒、６３ａ…フランジ部（筒側固定部）、５…天板、６…支持部材、６１…支持側固定部、６１ｃ…突起、７…ビス（締結部材）。
【図１】
0004810317.tif 000002
【図２】
0004810317.tif 000003
【図３】
0004810317.tif 000004
【図４】
0004810317.tif 000005
【図５】
0004810317.tif 000006